(57)【特許請求の範囲】
【請求項１】
熱板、蓋体等の複数の調理用部品を調理器本体の上面に積み重ねるようにした調理器であって、
ヒンジ結合された少なくとも二つホルダー片からなり、かつ開放端側に係合部を有するとともに、前記ホルダー片の幅が前記調理器本体および調理用部品の幅と同等またはこれらよりせまく側面が開放された収納ホルダーを有し、前記ホルダー片に前記収納ホルダー内に保持された前記調理器用本体および調理用部品と嵌合する嵌合部を設け、前記収納ホルダーのホルダー片の間に前記調理器本体及び調理用品を位置させ、前記収納ホルダーを閉じてこれらを一体的に保持するようにしたことを特徴とする調理器。
【請求項２】
前記収納ホルダーの開放端を、前記調理器の側面の対向する位置に形成したことを特徴とする請求項１記載の調理器。
【請求項３】
前記収納ホルダーの開放端を、前記調理器の天面の対向する位置に形成したことを特徴とする請求項１記載の調理器。
【請求項４】
前記収納ホルダーの外表面に取手部を設けたことを特徴とする請求項１記載の調理器。
【請求項５】
前記ホルダー片の前記調理器の一方の側面に対向する位置に取手部を設け、他方の側面の対向する位置に倒立支持する脚部を設けたことを特徴とする請求項１〜３のいずれかに記載の調理器。
【請求項６】
前記ホルダー片に、前記収納ホルダー内に保持される調理器の蓋体の蓋取手などの凸部が臨む穴部を穿設したことを特徴とする請求項１または５記載の調理器。
【請求項７】
前記ホルダー片の内壁部に、前記収納ホルダー内に保持される調理器を保護する緩衝具を設けたことを特徴とする請求項１、５、６いずれかに記載の調理器。
【請求項８】
前記調理器を保持した状態の収納ホルダーを、柔軟性のある収納袋で覆うことを特徴とする請求項１記載の調理器。
【発明の詳細な説明】
【０００１】
【発明の属する技術分野】
この発明は、調理器本体に調理用部品を一体的に挟持保持して収納できる調理器に関するものである。
【０００２】
【従来の技術】
図１１と図１２は、例えば特開平８−２５２１８１号公報に示された調理器を示す要部側断面図と要部下面図である。図において、２１は樹脂成型された外装体２２と薄板メッキ鋼板製の内装体２３と反射板２４とパイプヒータ２５等からなる調理器本体、２６はヒータ５の上に載置された調理プレート、２７は調理プレート２６の上面を覆う蓋体で、調理器本体２１の上に調理プレート２６を載置し、その上面で調理物の調理を行ない、調理物によっては調理プレート２６の上面を蓋体２７で蓋をして調理が行なわれる。２８は収納スタンドで、外径５ミリ程度の丸棒鋼材を折り曲げ加工にて図示した平面的な形状に形成し、クロムメッキしたものである。この収納スタンド２８は外装体２２の外底に設けた軸受け２９に進退自在かつ回動自在に遊嵌された支軸部（支軸片）２８ａと保管時に脚となる脚部（脚片）２８ｂと保管形態にセットしたとき支軸部２８ａと共働して調理器本体２１と調理プレート２６と蓋体２７とを挟持する挟持部（挟持片）２８ｃとからなる。
【０００３】
支持軸２８ａの先端には、軸受け２９から抜けるのを防止する折曲部（折曲片）２８ｅが設けられており、この折曲部２８ｅはホットプレート保管時に支軸部収容溝３０の端部側壁３０ａに当接して収納スタンドに加わる荷重を受ける。補強リブ３１を設けた外装体２２底面の板厚によって受けるので強度的に強い構造となる。また、挟持部２８ｃには調理プレート２６の側端縁２６ａを支持する「く」の字状のプレート支持部２８ｄが形成されており、ホットプレートを保管するために倒立したときに加わる調理プレート２６の大荷重を支持し、保管時に加わる衝撃及び振動に強い構造となる。
【０００４】
軸受け２９は外装体２２に形成されたＵ字状溝３２と支持押え部材３３とからなり、支軸押え部材３３はＵ字状溝３２に支軸部２８ａを嵌め込んだ後、ビス３４により止着されている。半球状の突起３５は、格納された収納スタンド２８の挟持部２８ｃが上下に微動しないように挟持部２８ｃを外装体２２下面に押圧保持するために、軸受け２９の中心線より、反対側の支軸部２８ａを持ち上げる機能をするものである。また、３６はブリッジ状に成型された挟持部支持部であり、格納された挟持部３８ｃの回動を防止するものである。なお、３７は挟持部の先端部に被着された軟質塩化ビニール製キャップであり、保管形態にしたときに蓋体２７の表面を傷付けないためのもので、３８は外装体２２と一体成型された脚、３９は収納スタンド２８を保管形態にする際に引き出して回動するときの折曲部２８ｅの逃がし穴である。
【０００５】
次に、収納スタンド２８の保管形態及び格納状態への操作を説明する。まず、ホットプレートを保管する場合には、図１２（ａ）に示すようにホットプレート本体２１の下面左右２２箇所に格納されている収納スタンド２８を止まるまで手前に引き出し、図１２（ｂ）に示すように各々外側に９０度回動させ、図１２（ｃ）に示すように蓋体２７を手で押えながら収納スタンド２８を止まるまでしっかり押し込んで調理器本体２１と調理プレート２６と蓋体２７とを収納スタンド２８のバネ性をもって挟持することにより保管形態にセットし、図１２（ｄ）に示すように倒立（起立）させて保管する。この倒立状態で外装体２２底面側に３度〜５度傾けることにより、店頭で展示したときに、手前に倒れにくい。
【０００６】
次に、保管形態のホットプレートを使用する場合には、蓋体２７を手で押えながら収納スタンド２８を止まるまで手前に引き抜き、各々内側に９０度回動させて水平状態にし、本体の下面にしっかりと押し込んで格納する。なお、収納スタンド２８は線材製に限定されるものではなく、樹脂成型したものでも良く、収納スタンド２８の本数は２本が標準であるが１本であっても良い。
【０００７】
【発明が解決しようとする課題】
上記のような従来の調理器では、調理器本体２１と調理プレート２６と蓋体２７とを調理器本体２１の外底部に進退自在かつ回動自在に遊嵌した収納スタンド２８で挟み込んで立てて収納できるものであるが、収納スタンド２８はほとんどが開放した状態であるため、着脱自在な調理プレート２６や蓋体２７はその開放部分から左右にズレて落ちやすく、持ち運びにも不便であるという問題点があった。
【０００８】
また、収納スタンド２８では調理器本体２１や調理プレート２６、蓋体２７の外表面のほとんどが露出した状態であり、収納しているときに埃が付着しやすく不衛生であるという問題点があった。
【０００９】
この発明は、上記のような課題を解決するためになされたもので、調理器本体に着脱可能な調理プレートや蓋体などの調理用部品を調理器本体とともに確実に挟持収納し、かつ立てて収納もでき、衛生的に保管もできる、持ち運びに便利で少ない保管スペースで収納可能な調理器を得るものである。
【００１０】
【課題を解決するための手段】
この発明にかかる調理器は、熱板、蓋体等の複数の調理用部品を調理器本体の上面に積み重ねるようにした調理器であって、ヒンジ結合された少なくとも二つホルダー片からなり、かつ開放端側に係合部を有するとともに、前記ホルダー片の幅が前記調理器本体および調理用部品の幅と同等またはこれらよりせまく側面が開放された収納ホルダーを有し、前記ホルダー片に前記収納ホルダー内に保持された前記調理器用本体および調理用部品と嵌合する嵌合部を設け、前記収納ホルダーのホルダー片の間に前記調理器本体及び調理用品を位置させ、前記収納ホルダーを閉じてこれらを一体的に保持するようにしたものである。
【００１１】
また、前記収納ホルダーの開放端を、前記調理器の側面に対向する位置に形成したものである。
【００１２】
また、前記収納ホルダーの開放端を、前記調理器の天面の対向する位置に形成したものである。
【００１３】
また、前記収納ホルダーの外表面に取手部を設けたものである。
【００１４】
また、前記ホルダー片の前記調理器の一方の側面に対向する位置に取手部を設け、他方の側面に対向する位置に倒立支持する脚部を設けたものである。
【００１６】
また、前記ホルダー片に、前記収納ホルダー内に保持される調理器の蓋体の蓋取手などの凸部が臨む穴部を穿設したものである。
【００１７】
また、前記ホルダー片の内壁部に、前記収納ホルダー内に保持される調理器を保護する緩衝具を設けたものである。
【００１８】
また、前記調理器を保持した状態の収納ホルダーを、柔軟性のある収納袋で覆うものである。
【００１９】
【発明の実施の形態】
実施の形態１．
図１はこの発明の実施の形態１である調理器を示す分解斜視図、図２は要部斜視図、図３は縦断面図である。図において、１は被収納体であるホットプレートなどの調理器本体で、底面に凹部１ａ形状を設けている。２は調理器本体１の上面に着脱可能に載置される調理プレート（請求項でいう熱板）で、調理面が平らな平プレート２ａや調理面に凸凹を設けた焼肉プレート２ｂなど数種類の調理プレート２を有するものもある。３は調理プレート２の持手部、４は調理プレート２の上面に載置される蓋体で、上面中央部に蓋取手５を設けている。
【００２０】
６は調理器本体１の上面に調理プレート２および蓋体４を載置して保持する収納ホルダーで、平板の周縁辺から一対の側面部が延設されたコの字状のベースホルダー片６ａとこのベースホルダー片６ａの上面に蓋をするように位置するコ字状の挟持ホルダー片６ｂとをヒンジ部７で回動（開閉）自在にヒンジ結合して構成される。８はベースホルダー片６ａと挟持ホルダー片６ｂのヒンジ結合されていない側の開放端部に設けた収納ホルダー取手、９は取手部８に設けた係合部で、ベースホルダー片６ａ側に設けた係止金具９ａが挟持ホルダー片６ｂ側に設けた係止部９ｂに係止固定して構成される。１０はベースホルダー片６ａに形成した凸部で、調理器本体１の凹部１ａと嵌合するものである。１１は挟持ホルダー片６ｂに穿設した穴で、蓋体４の蓋取手５を臨ませて嵌合されるものである。１２は収納ホルダー６の内壁面に配設し、保持される調理器本体１や調理プレート２および蓋体４を保護するゴム等で形成されたリブ状の緩衝具、１３は調理器本体１の一方の側面に位置する収納ホルダー６の外面に形成した脚部で、ヒンジ部７付近のベースホルダー片６ａと挟持ホルダー片６ｂにまたがって設けた平面状の凸部からなる。
【００２１】
次に、このように構成された調理器を保管する場合について説明する。まず、収納ホルダー６の挟持ホルダー片６ｂをヒンジ部７を中心にして回動して開放し（矢印Ａ方向）、ベースホルダー片６ａ側を下にしてを置く。そして、調理器本体１の底面に設けられた凹部１ａをベースホルダー片６ａの凸部１０と嵌合するようにベースホルダー片６ａ上に調理器本体１を載置する。次に、調理器本体１上に平プレート２ａ、焼肉プレート２ｂ及び蓋体４を載置してセットし、挟持ホルダー片６ｂをヒンジ部７を軸に回動させ、調理器本体１上に載置した蓋体４の蓋取手５が穴１１から突出して臨むように挟持ホルダー片６ｂを覆うようにかぶせ、係止部９の係止金具９ａと係止部９ｂを係止固定し、調理器本体１と調理用部品を確実に収納ホルダー６内に挟持収納する。このとき、収納ホルダー６の内壁面に形成されている緩衝具１２により調理器本体１が押え込まれているので、調理器本体１に傷が付いたりガタつきが起こらないように保護している。
【００２２】
このように、ヒンジ固定された開閉式の収納ホルダー６で調理器本体１と調理器用部品（調理プレート２や蓋体４）の上面と下面を挟持して収納すれば調理器本体１と調理用部品の外表面全部を覆わなくても確実に挟持収納でき、上記従来技術のようなスタンドと違って収納ホルダー取手８を持って持ち運んでも着脱部品の調理用部品がずれることがない。また、脚部１３にて形成される平面状の凸部を底面にして収納ホルダー６を立て掛けることができ、場所を取らずに収納することができる。なお、脚部１３はヒンジ部７付近に限らず、調理器本体１の側面に位置するホルダー片部に設ければ良く、その面を立て掛けて収納することができる。
【００２３】
実施の形態２．
図４は、この発明の実施の形態２の調理器を示す（ａ）要部斜視図（立て掛け状態）（ｂ）要部斜視図（横置き状態）（ｃ）要部断面図（開放時）である。これは、収納ホルダー６のベースホルダー片６ａをＬ字状とし、挟持ホルダー片６ｂを２枚のホルダー片で構成し、この間にヒンジ部７ａを設け、ベースホルダー片６ａとヒンジ部７ｂでヒンジ結合したものである。調理器を保管する場合は、まず、収納ホルダー６を図４（ｂ）のように横置きの状態にし、挟持ホルダー片６ｂを矢印Ａの方向に開放すると、ヒンジ部７ａで回動し、そのまま開放し続けるとヒンジ部７ｂにより回動して、挟持ホルダー片６ｂとベースホルダー片６ａとが一枚の平らな板のような状態にする（図４（ｃ）参照）。収納ホルダー６を図４（ｃ）の状態にしたら、ベースホルダー片６ａ上に凸部１０と嵌合するように調理器本体１を載置し、調理プレート２および蓋体４を調理器本体１の上面に載置したら、挟持ホルダー片６ｂをヒンジ部７ｂと７ａの２段階で閉じ、係止部９で係止固定して、調理器を挟持保持する。このように、ヒンジ部７を設ける位置や数を変えることで、様々な開放状態が考えられ、位置がベースホルダー片６ａ寄りになれば開放面積は大きくなり、複数設ければ挟持ホルダー片６ｂの開放動作が複数段階に分けられてスムーズに行なうことができる。ただし、開放面積は調理用部材をセットした調理器本体１を収納させることができる大きさとする。
【００２４】
つまり、ヒンジ部７はベースホルダー片６ａ、つまり調理器本体１の底面と対向する位置のホルダー片以外であればどこに設けても良く、他にも、図５のように、ベースホルダー片６ａをコ字状とし、挟持ホルダー片６ｂを平板状とし、挟持ホルダー片６ｂを開放したときにベースホルダー片６ａが箱のような状態となるようにヒンジ部７を備えたもの、図６のようにベースホルダー片６ａをコ字状とし、挟持ホルダー片６ｂを２枚の平板状のホルダー片で構成し、それぞれをヒンジ部７ａ、７ｂでベースホルダー片６ａとヒンジ固定し、ヒンジ固定側の反対側の挟持ホルダー片６ｂ同士を係止部で係止した観音開き（矢印Ａ）のように開放できるもの、図７のようにベースホルダー片６ａを平板状とし、挟持ホルダー片６ｂを２枚のＬ字状のホルダー片で構成し、それぞれをヒンジ部７ａ、７ｂでベースホルダー片６ａとヒンジ固定し、ヒンジ固定側の反対側の挟持ホルダー片６ｂ同士を係止部で係止した観音開き（矢印Ａ）のように開放できるもので、図６よりも開放状態時の開放面積が大きいもの、図８のようにベースホルダー片６ａをＬ字状とし、挟持ホルダー片６ｂもＬ字状として、一端部をヒンジ部７でヒンジ固定し、他方を係止部９で係止できるもので、実施の形態１や図５よりも開放状態時の開放面積が大きくなって調理器を収納しやすいものなど、様々な形態が考えられる。
【００２５】
つまり、調理用部品をセットした調理器本体１の底面と天面を挟持し、底面に位置するホルダー片以外でヒンジ結合される少なくとも２つのホルダー片で構成された開閉式の収納ホルダーホルダーであれば良く、図４〜図８に限るものではない。
【００２６】
実施の形態３．
図９は、この発明の実施の形態３を示す調理器の（ａ）要部斜視図（立て掛け状態）（ｂ）要部斜視図（横置き状態）（ｃ）要部断面部（開放時）である。これは、調理器本体１の一方の側部に位置する部分のみを挟持ホルダー片６ｂとし、他の底面と他方の側部と天面に位置する部分挟持するコ字状のベースホルダー片６ａとし、このベースホルダー片６ａは調理用部品をセットした調理器本体１の上面と下面を挟持できるコ字上で、ベースホルダー片６ａと挟持ホルダー片６ｂとの一端側をヒンジ部７でヒンジ結合し、多端側を係止部９で係止できるもので、挟持ホルダー片６ｂに収納ホルダー取手８を設けてある。
【００２７】
調理器を保管する場合は、まず、ベースホルダー片６ａを図９（ｂ）のように横置き状態にし、挟持ホルダー片６ｂを収納ホルダー取手８を持って矢印Ｂの方向に開放すると、ヒンジ部７で回動し、調理器用部品をセットした調理器本体１の高さ分ほどの開放部が開放される。そして、この開放している挟持ホルダー片６ｂ側から調理器用部品を上面にセットした調理器本体１を押し込む。このとき、蓋体４の蓋取手５はベースホルダー片６ａに当たるので、穴１１は天面中央部から係止部９側の端部まで延びた横長形状に穿設されており、蓋取手５はこの横長の穴１１間を通って調理器本体１と調理用部品（調理プレート２および蓋体４）はベースホルダー片６ａ内に押し込まれる。そして、挟持ホルダー片６ｂを閉じて係止部９で係止すると、調理用部品をセットした調理器本体１の上面と下面とを確実に挟持し、収納ホルダー取手８持って持ち運んでもがたつかず持ち運びに便利で、作業のし易いものとなる。
【００２８】
実施の形態４．
図１０は、この発明の実施の形態４を示す要部斜視図である。１４は布などのやわらかい部材で形成された収納袋で、調理用部品をセットした調理器本体１を収納ホルダー６で挟持し、これを開口部１４ａから入れて収納袋１４で覆い、開口部１４ａをヒモなどでしぼめて閉じる閉じ部材１４ｂで閉じるものであり、収納ホルダー６で覆われていない部分の調理器本体１や調理用部品に埃やゴミが付着するのを防ぎ、収納袋１４は使用していないときには小さく畳んでおけ、場所も取らず便利である。また、収納ホルダー取手８が突出できる穴１４ｃを収納袋１４に設ければ収納袋１４を被せたままで調理用部品と調理器本体１を持ち運ぶこともできる。
【００２９】
【発明の効果】
この発明は、以上説明したように構成されるので、以下に示すような効果を奏する。
【００３０】
熱板、蓋体等の複数の調理用部品を調理器本体の上面に積み重ねるようにした調理器であって、ヒンジ結合された少なくとも二つホルダー片からなり、かつ開放端側に係合部を有するとともに、前記ホルダー片の幅が前記調理器本体および調理用部品の幅と同等またはこれらよりせまく側面が開放された収納ホルダーを有し、前記ホルダー片に前記収納ホルダー内に保持された前記調理器用本体および調理用部品と嵌合する嵌合部を設け、前記収納ホルダーのホルダー片の間に前記調理器本体及び調理用品を位置させ、前記収納ホルダーを閉じてこれらを一体的に保持するようにしたので、調理器の上面と下とを確実に挟持することができ、熱板や蓋体等が調理器本体からずれることがなく、安全でかつ少ないスペースにて収納でき、収納効率がよい。また、挟持する調理器本体と収納ホルダーとの位置合わせを容易に行うことができ、さらに調理器本体ががたつくことがなく確実に固定され、収納ホルダーに収納して持ち運びを行ってもずれることがなく、さらに使い勝手が良くなる。
【００３１】
また、前記収納ホルダーの開放端を、前記調理器の側面に対向する位置に形成したので、使用者は一回の動作で収納ホルダーを開放または閉じることができ、収納ホルダーの開閉作業を簡単に行うことことができる。
【００３２】
また、前記収納ホルダーの開放端を、前記調理器の天面の対向する位置に形成したので、開放端を上面にして収納ホルダーの開閉作業ができるため、使用者から見易く開閉作業がし易くなり、使い勝手の良いものとなる。
【００３３】
また、前記収納ホルダーの外表面に取手部を設けたので、取手部を持つことで収納ホルダーに挟持収納された調理器を片手で持ち運ぶことができ、使い勝手が良い。
【００３４】
また、前記ホルダー片の前記調理器の一方の側面に対向する位置に取手部を設け、他方の側面に対向する位置に倒立支持する脚部を設けたので、脚部を底面として立て掛けた状態で調理用部品をセットした調理器を収納保管することができ、埃なども付きにくく衛生的でかつ少ないスペースで収納でき、収納効率が良い。
【００３６】
また、前記ホルダー片に、前記収納ホルダー内に保持される調理器の蓋体の蓋取手などの凸部が臨む穴部を穿設したので、蓋体や熱板をセットした調理器本体を収納ホルダーに挟持して収納したときに、穴部から蓋体の蓋取手などの凸部を突出させて臨ませられるため、蓋体や熱板がずれることがなく、確実に固定され、持ち運びを行なってもずれることがなく、さらに使い勝手が良くなる。
【００３７】
また、前記ホルダー片の内壁部に、前記収納ホルダー内に保持される調理器を保護する緩衝具を設けたので、がたつかないように収納ホルダーに挟持された調理器本体や調理用部品にキズを付けることなく、確実に挟持固定することができる。
【００３８】
また、前記調理器を保持した状態の収納ホルダーを、柔軟性のある収納袋で覆うので、埃などのゴミの付着を完全に防止できて衛生的であり、収納袋を使用しない時には畳んでしまっておくこともでき、場所をとらず使い勝手が良い。
【図面の簡単な説明】
【図１】  この発明の実施の形態１を示す調理器の分解斜視図である。
【図２】  この発明の実施の形態１を示す調理器の側面図である。
【図３】  この発明の実施の形態１を示す調理器の要部斜視図である。
【図４】  （ａ）この発明の実施の形態２を示す調理器の要部斜視図である。
（ｂ）この発明の実施の形態２を示す調理器の要部斜視図である。
（ｃ）この発明の実施の形態２を示す調理器の要部断面図である。
【図５】  （ａ）この発明の実施の形態２を示す調理器の要部斜視図である。
（ｂ）この発明の実施の形態２を示す調理器の要部斜視図である。
（ｃ）この発明の実施の形態２を示す調理器の要部断面図である。
【図６】  （ａ）この発明の実施の形態２を示す調理器の要部斜視図である。
（ｂ）この発明の実施の形態２を示す調理器の要部斜視図である。
（ｃ）この発明の実施の形態２を示す調理器の要部断面図である。
【図７】  （ａ）この発明の実施の形態２を示す調理器の要部斜視図である。
（ｂ）この発明の実施の形態２を示す調理器の要部斜視図である。
（ｃ）この発明の実施の形態２を示す調理器の要部断面図である。
【図８】  （ａ）この発明の実施の形態２を示す調理器の要部斜視図である。
（ｂ）この発明の実施の形態２を示す調理器の要部斜視図である。
（ｃ）この発明の実施の形態２を示す調理器の要部断面図である。
【図９】  （ａ）この発明の実施の形態３を示す調理器の要部斜視図である。
（ｂ）この発明の実施の形態３を示す調理器の要部斜視図である。
（ｃ）この発明の実施の形態３を示す調理器の要部断面図である。
【図１０】  この発明の実施の形態４を示す調理器の正面図である。
【図１１】  従来の調理器を示す要部側断面図である。
【図１２】  従来の調理器を示す取扱説明図である。
【符号の説明】
１  調理器本体、１ａ  凹部、２  調理プレート、２ａ  平プレート、２ｂ  焼肉プレート、３  持手部、４  蓋体、５  蓋取手、６  収納ホルダー、６ａ  ベースホルダー片、６ｂ  挟持ホルダー片、７ａ，７ｂ  ヒンジ部、８  収納ホルダー取手、９  係合部、９ａ  係止金具、９ｂ  係止部、１０  凸部、１１  穴、１２  緩衝具、１３  脚部、１４  収納袋、１４ａ  開口部、１４ｂ  閉じ部材、１４ｃ  穴。
【図１】
0003845790.tif 000002
【図２】
0003845790.tif 000003
【図３】
0003845790.tif 000004
【図４】
0003845790.tif 000005
【図５】
0003845790.tif 000006
【図６】
0003845790.tif 000007
【図７】
0003845790.tif 000008
【図８】
0003845790.tif 000009
【図９】
0003845790.tif 000010
【図１０】
0003845790.tif 000011
【図１１】
0003845790.tif 000012
【図１２】
0003845790.tif 000013